(57)【要約】【課題】一定の出力を得られ、系統連系も容易に行え、スリムな発電装置とし、コージェネレーションの補助機として系統の停電があってもその影響を波及させず、可逆回転の場合の極性切り換えも必要なく、高価な遮断機を要さず力率調整を簡単にしたこと。【解決手段】整流子７に接触するブラシ８と固定子鉄心５とを回転子６の停止中および駆動中の区別なく相対的に整流子７の周方向に回動可能に構成し、また整流子７を形成する各整流子片７１を軸方向にスキューを持たせて筒状に配列し、ブラシ８を整流子７に接触させつつ回転子６に対して相対的に軸方向に沿い移動可能に構成し、界磁巻線１に切り換え(第１)スイッチ１０を介して別々の交流電源を接続し、ブラシ８を常時出力端子の接続先および切り替え(第１)スイッチ１０に連動する第２スイッチ１１を介して片方の交流電源に接続した。【選択図】      図１
2005065474.tif 000002
【特許請求の範囲】
【請求項１】
界磁巻線が巻かれて励磁される固定子鉄心に対して回転子巻線が巻かれた回転子鉄心を回転させて、整流子およびブラシを介して電力を取り出す整流子発電装置において、
界磁巻線に移相素子を介して交流電源を接続し、
整流子に接触するブラシと固定子鉄心とを相互に相対的に、整流子の周方向に回動可能に構成し、
周方向の回動可能な範囲は予め設定した電気角基準位置に対して所望の電気角の範囲としたことを特徴とする整流子発電装置。
【請求項２】
界磁巻線が巻かれて励磁される固定子鉄心に対し回転子巻線が巻かれた回転子鉄心を回転させて整流子およびブラシを介して電力を取り出す整流子発電装置において、
界磁巻線に移相素子を介して交流電源を接続し、
整流子に接触するブラシと固定子鉄心とを相互に相対的に、整流子の周方向に回動可能に構成し、
周方向の回動可能な範囲は電気角にて略０度から略９０度の範囲としたことを特徴とする整流子発電装置。
【請求項３】
界磁巻線が巻かれて励磁される固定子鉄心に対し回転子巻線が巻かれた回転子鉄心を回転させて整流子およびブラシを介して電力を取り出す整流子発電装置において、
界磁巻線に移相素子を介して交流電源を接続し、
整流子を形成する各整流子片を軸方向にスキューを持たせて筒状に配列し、
ブラシを整流子に接触させつつ回転子に対して相対的に軸方向に沿い移動可能に構成したことを特徴とする整流子発電装置。
【請求項４】
各整流子片のスキューの角度は、ブラシと整流子の相対的な軸方向移動範囲内にてブラシまたは整流子のいずれかを移動させたとき、このブラシと接触し得る整流子片の本数が、その整流子片につながる回転子巻線の電気角にて９０度以上の差に当たる本数になるような角度であることを特徴とする請求項３に記載の整流子発電装置。
【請求項５】
各整流子片によって形成される整流子のスキューは、整流子の軸方向一端より他端に向って整流子の周方向時計回りに捻り、ついで周方向反時計回りに捻る形状にしたことを特徴とする請求項３または４に記載の整流子発電装置。
【請求項６】
ブラシと整流子とは、各整流子片を筒状に配列した整流子の軸方向移動範囲内を軸方向に沿い相対的に移動可能に構成したことを特徴とする請求項３，４または５に記載の整流子発電装置。
【請求項７】
軸方向の移動可能範囲は電気角にて略０度から略９０度の範囲としたことを特徴とする請求項３乃至６のいずれか一つに記載の整流子発電装置。
【請求項８】
界磁巻線が巻かれて励磁される固定子鉄心に対し回転子巻線が巻かれた回転子鉄心を回転させて整流子およびブラシを介して電力を取り出す整流子発電装置において、
界磁巻線に移相素子および第１スイッチを介して第１および第２の交流電源を選択的に切り替え可能に接続し、
整流子に接触するブラシと固定子鉄心とを相互に相対的に、整流子の周方向に回動可能に構成し、
ブラシを常時出力端子の接続先および第１スイッチに連動する第２スイッチを介して第１の交流電源に接続したことを特徴とする整流子発電装置。
【請求項９】
第２の交流電源または常時出力端子の接続先の少なくとも一方はＵＰＳであることを特徴とする請求項８に記載の整流子発電装置。
【請求項１０】
周方向の回動可能な範囲は、電気角にて略０度から略９０度の範囲としたことを特徴とする請求項８に記載の整流子発電装置。
【請求項１１】
界磁巻線が巻かれて励磁される固定子鉄心に対し回転子巻線が巻かれた回転子鉄心を回転させて整流子およびブラシを介して電力を取り出す整流子発電装置において、
界磁巻線に移相素子および第１スイッチを介して第１および第２の交流電源を選択的に切り替え可能に接続し、
整流子を形成する各整流子片を軸方向にスキューを持たせて筒状に配列し、
ブラシを整流子に接触させつつ回転子に対して相対的に軸方向に沿い移動可能に構成し、
ブラシを常時出力端子の接続先および第１スイッチに連動する第２スイッチを介して第１の交流電源に接続したことを特徴とする整流子発電装置。
【請求項１２】
第２の交流電源または常時出力端子の接続先の少なくとも一方はＵＰＳであることを特徴とする請求項１１に記載の整流子発電装置。
【請求項１３】
各整流子片のスキューの角度は、ブラシと整流子の相対的な軸方向移動範囲内にてブラシまたは整流子のいずれかを移動させたとき、このブラシと接触し得る整流子片の本数が、その整流子片につながる回転子巻線の電気角にて９０度以上の差に当たる本数となるような角度であることを特徴とする請求項１１に記載の整流子発電装置。
【請求項１４】
各整流子片によって形成される整流子のスキューは、整流子の軸方向一端より他端に向って整流子の周方向時計回りに捻り、ついで周方向反時計回りに捻る形状にしたことを特徴とする請求項１１または１３に記載の整流子発電装置。
【請求項１５】
ブラシと整流子とは、各整流子片を筒状に配列した整流子の軸方向移動範囲内を軸方向に沿い相対的に移動可能に構成したことを特徴とする請求項１1、１３または１４に記載の整流子発電装置。
【請求項１６】
軸方向の移動可能範囲は、電気角にて略０度から略９０度の範囲としたことを特徴とする請求項１１，１３，１４または１５に記載の整流子発電装置。
【請求項１７】
界磁巻線が巻かれて励磁される固定子鉄心に対し回転子巻線が巻かれた回転子鉄心を正転および逆転させて整流子およびブラシを介して電力を取り出す整流子発電装置において、
界磁巻線に移相素子を介して交流電源を接続し、
整流子に接触するブラシと固定子鉄心とを相互に相対的に、整流子の周方向に回動可能に構成し、
周方向の回動可能な範囲は電気角にて略０度を中心として略±９０度の範囲としたことを特徴とする整流子発電装置。
【請求項１８】
界磁巻線が巻かれて励磁される固定子鉄心に対し回転子巻線が巻かれた回転子鉄心を正転および逆転させて整流子およびブラシを介して電力を取り出す整流子発電装置において、
界磁巻線に移相素子を介して交流電源を接続し、
整流子を形成する各整流子片を軸方向にスキューを持たせて筒状に配列し、
ブラシを整流子に接触させつつ回転子に対して相対的に軸方向に沿い移動可能に構成し、
軸方向の移動可能な範囲は電気角にて略０度を中心として略±９０度の範囲としたことを特徴とする整流子発電装置。
【発明の詳細な説明】
【技術分野】
【０００１】
本発明は、界磁巻線が巻かれた固定子鉄心に対して回転子巻線が巻かれた回転子鉄心を回転させて、整流子およびブラシを介して電力を取り出す整流子発電装置に関し、より詳細には、回転駆動力の大小にかかわらずに一定周波数・一定出力の交流電力を得ることができる整流子発電装置に関する。
【背景技術】
【０００２】
水力発電または火力発電においては、水車またはタービンの回転駆動力を交流発電機の回転子に伝えて、回転子の回転により発電し、交流電力を出力している。この発電機出力としての交流電力は、一定の周波数に調整されていること、定格を超えない電圧に調整されていること、使用電力や送電線路の送電容量に応じた電流および位相に調整されていること等の条件を満たす必要がある。このため、ガスや水量の調整制御（所謂、ガバナによる調整制御）、原動機の羽根の角度調整等の種々の機械的調整や制御によって、発電機入力である水車やタービンの回転力を調整することにより、交流電力の周波数や、電圧、電流、位相を制御している。
一方、系統連系にあっては、負荷短絡時の防護対策として高速遮断器等の連系保護装置が設置されており、雷害や地絡等の防護対策として異常電圧防護措置が設置されている。
【０００３】
したがって、必要な条件を満たす交流電力および必要な防護対策のためには、発電機本体である交流発電機以外に、検出器、調整装置、制御装置、保護装置等の多くの装置や設備を含めた発電装置が必要となっている。また、発電装置が大電力になるほど大規模な発電プラントが構築されることとなり、同時に保守点検作業も頻繁に行う必要が生じてくる。
【０００４】
また、近年、自然環境下の水力、風力などのクリーンなエネルギを電力に変えて利用したいという動向から、小水力発電、風力発電などの小出力の発電装置も種々商品化されている。これら小出力の発電装置であっても、前述した条件を満たす交流電力および必要な防護対策のためには、ガバナ等の装置や設備が必要であり、保守点検作業も頻繁に行う必要が生じてくる。
【０００５】
さらに、発電機の一つとして、緊急発電装置または移動可能発電装置に利用されているエンジン発電機がある。このエンジン発電機は一般に小容量であるが、自家発電用の発電機としてのみならず、最近ではコージェネレーションシステム（熱電供給システム）の補助機としても用いられるようになっている。このため、エンジン発電機においても、地域のコージェネレーションシステムの規模が大きくなって発電出力が大容量となると、調整装置、制御装置、保護装置等多くの装置や設備が必要となり、系統連系を行った場合には、負荷短絡時の防護のための高速遮断器等の連系保護装置が必要となっている。
【０００６】
【特許文献１】特開２０００−２７０５２９号公報
【発明の開示】
【発明が解決しようとする課題】
【０００７】
しかしながら、上記従来の技術によれば、交流電力の周波数、電圧、電流、位相の制御や、装置の防護対策を、検出器、調整装置、制御装置、保護装置等の多くの装置を用いて行っているため、装置コストの増大、装置の複雑化、係員による保守点検作業の増大等を招来するという問題点があった。
【０００８】
また、上記従来の技術によれば、検出器、調整装置、制御装置、保護装置等の多くの装置を必要とするため、小出力の発電装置の場合であっても、簡便に設置や収納を行えないという問題点があった。
【０００９】
より詳細には、小出力の風力発電装置であっても、系統連系をしている場合、周波数や位相を完全に一致させ、商用電源に完全に同期させる必要があり、また、強風時の高速回転時の場合、過大電圧を抑制するために回転数を制御したり、機器の切り離しを行う必要があり、弱風時の低速回転時の場合、発電出力が得られず系統の負荷となるために機器の切り離しを行う必要があるため、多くの調整制御装置等や、係員による保守作業が必要であるという問題点や、設置場所も厳密に選択した固定場所となるという問題点があった。
【００１０】
さらに、従来の技術によれば、以下の問題点があり、これらを解決する発電装置が望まれていた。
第１に、エンジン発電機の場合、小容量のエンジン発電機になる程、傾向として負荷変動による出力電圧変動が大きくなり、この電圧変動を少なくするために励磁電流により出力電圧調整をすることになるが、機械的な回転数制御に至ると応答が遅いため周波数が変動してしまうという問題があった。なお、電圧や周波数の変動を少なくするために、磁気回路の大型化や、巻線を太くして大型化することで、変動分を吸収する装置を得るという方策もあるが、エンジン発電機としては必然的にコストや重量が大きくなりスリム化の要望に応えることができなかった。
【００１１】
第２に、エンジン発電機を補助機として用いたコージェネレーションシステムに対して系統連系が行われている場合、系統が停電してエンジン発電機出力が短絡状態となると、大電流による巻線の焼損が生じ、またエンジン発電機出力が短絡状態になっても原動機入力は変化しないので原動機連結軸に極めて大きな応力が発生してこの原動機連結軸の破損が生ずる場合がある。これを防止するために高速な遮断機を備える必要が発生するが、大容量の場合には応答速度が遅く、また一般に高価な設備となるという問題点があった。
【００１２】
第３に、波力発電の場合、吸排気による順方向および逆方向からなる双回転方向の回転駆動力から電力を取り出して発電効率を向上させる方式の発電装置があるが、この装置から発電電力を得るためには順方向または逆方向の回転駆動のたびにスイッチ等を入り切りして電気的極性の切り換えが必要になるため、切換制御が複雑になるという問題点があった。
【００１３】
第４に、上記種々の発電にあっては、発電をする以上、力率調整を行う必要があるが、機械的に同期回転数を制御して電流位相を変え、または機械的に励磁電流を制御して電流位相を変えることで力率調整を行っているため、必ずしも容易に力率調整を行えないという問題点があった。
【００１４】
本発明は上記に鑑みてなされたものであって、装置コストの増大、装置の複雑化、係員による保守点検作業の増大等を招来することなく、原動機の回転駆動力の大小にかかわらず一定の出力を得られ、系統連系も容易に行え、また必要に応じて設置や収納が簡便にできる整流子発電装置を得ることを目的とする。
【００１５】
また、本発明は、エンジン発電装置を利用した場合にあっても機械的回転数制御のような応答遅れをなくし、またコストや重量が大きな発電装置とすることもなく、コージェネレーションシステムの補助機として系統の停電があってもその影響を波及させない整流子発電装置を得ることを目的とする。
【００１６】
また、本発明は、波力発電のような電気的極性切り換えをスイッチ等の入り切りにて行う必要もなく、力率調整を容易にした整流子発電装置を得ることを目的とする。
【課題を解決するための手段】
【００１７】
上述の目的を達成するため、この発明にかかる整流子発電装置は、界磁巻線が巻かれて励磁される固定子鉄心に対し回転子巻線が巻かれた回転子鉄心を回転させて整流子およびブラシを介して電力を取り出す整流子発電装置において、界磁巻線に移相素子を介して交流電源を接続し、整流子に接触するブラシと固定子鉄心とを相互に相対的に、整流子の周方向に回動可能に構成し、周方向の回動可能な範囲は予め設定した電気角基準位置に対して所望の電気角の範囲としたことを特徴とする。
【００１８】
この発明によれば、交流電源周波数にて得られる周波数を出力することができ、ブラシの所望角の相対的な回動により出力及び力率を調整することができるので、系統連系が可能であることはもちろん、回転駆動力の変動や出力電圧あるいは出力特性の変動に応じて電圧調整が可能となり、発電機の装置や設備の低減及び使用環境の拡大を図ることができる。また、系統が停電して発電機出力端が短絡状態になった時は、系統からの界磁電流が流れないで発電機励磁入力がない状態となるため、発電機出力が発生しない。この結果、発電機から短絡電流が発生する恐れがなくなり、発電機へのストレスも少ない。
【００１９】
次の発明にかかる整流子発電装置は、界磁巻線が巻かれて励磁される固定子鉄心に対し回転子巻線が巻かれた回転子鉄心を回転させて整流子およびブラシを介して電力を取り出す整流子発電装置において、界磁巻線に移相素子を介して交流電源を接続し、整流子に接触するブラシと固定子鉄心とを相互に相対的に、整流子の周方向に回動可能に構成し、周方向の回動可能な範囲は電気角にて略０度から略９０度の範囲としたことを特徴とする。
【００２０】
この発明によれば、交流電源周波数にて得られる周波数を出力することができ、ブラシの０度〜９０度間の相対的な回動により出力及び力率を調整することができるので、系統連系が可能であることはもちろん、回転駆動力の変動や出力電圧あるいは出力特性の変動に応じて電圧調整が可能となり、発電機の装置や設備の低減及び使用環境の拡大を図ることができる。また、系統が停電して発電機出力端が短絡状態になった時は、系統からの界磁電流が流れないで発電機励磁入力がない状態となるため、発電機出力が発生しない。この結果、発電機から短絡電流が発生する恐れがなくなり、発電機へのストレスも少ない。
【００２１】
次の発明にかかる整流子発電装置は、界磁巻線が巻かれて励磁される固定子鉄心に対し回転子巻線が巻かれた回転子鉄心を回転させて整流子およびブラシを介して電力を取り出す整流子発電装置において、界磁巻線に移相素子を介して交流電源を接続し、整流子を形成する各整流子片を軸方向にスキューを持たせて筒状に配列し、ブラシを整流子に接触させつつ回転子に対して相対的に軸方向に沿い移動可能に構成したことを特徴とする。
【００２２】
この発明によれば、交流電源周波数にて得られる周波数を出力することができ、スキューを持たせた整流子とブラシとの軸方向移動に伴うブラシの相対的な回動により出力及び力率を調整することができるので、系統連系が可能であることはもちろん、回転駆動力の変動や出力電圧あるいは出力特性の変動に応じて電圧調整が可能となり、発電機の装置や設備の低減及び使用環境の拡大を図ることができる。また、系統が停電して発電機出力端が短絡状態になった時は、系統からの界磁電流が流れないで発電機励磁入力がない状態となるため、発電機出力が発生しない。この結果、発電機から短絡電流が発生する恐れがなくなり、発電機へのストレスも少ない。
【００２３】
次の発明にかかる整流子発電装置は、各整流子片のスキューの角度は、ブラシと整流子の相対的な軸方向移動範囲内にてブラシまたは整流子のいずれかを移動させたとき、このブラシと接触し得る整流子片の本数が、その整流子片につながる回転子巻線の電気角にて９０度以上の差に当たる本数になるような角度であることを特徴とする。
【００２４】
この発明によれば、ブラシや整流子の軸方向移動範囲内にて回転子巻線の９０度以上の電気角の差を設けることにより、例えば直線状整流子片として考えた場合に整流子の周りに０度から９０度以上までブラシが回動することと等価の特性が得られ、所望の出力電圧調整や位相調整が可能となる。
【００２５】
次の発明にかかる整流子発電装置は、各整流子片によって形成される整流子のスキューは、整流子の軸方向一端より他端に向って整流子の周方向時計回りに捻り、ついで周方向反時計回りに捻る形状にしたことを特徴とする。
【００２６】
この発明によれば、整流子のスキューの形状にてブラシや整流子の一方向移動のみにより例えば基準位置から９０度ブラシ回動位置に達しその後基準位置への移動が可能となり、例えば風力発電では無風から強風までの風圧に応じてブラシ移動位置を決定することができ、ブラシ制御が簡単となる。
【００２７】
次の発明にかかる整流子発電装置は、ブラシと整流子とは、各整流子片を筒状に配列した整流子の軸方向移動範囲内を軸方向に沿い相対的に移動可能に構成したことを特徴とする。
【００２８】
この発明によれば、ブラシあるいは整流子を軸方向移動範囲内にて軸方向移動可能にさせて出力電圧や位相を調整させたものである。
【００２９】
次の発明にかかる整流子発電装置は、軸方向の移動可能範囲は電気角にて略０度から略９０度の範囲としたことを特徴とする。
【００３０】
この発明によれば、ブラシあるいは整流子の軸方向移動に伴う電気角９０度の回動にて、最小から最大までの出力変動を容易に得ることができる。
【００３１】
次の発明にかかる整流子発電装置は、界磁巻線が巻かれて励磁される固定子鉄心に対し回転子巻線が巻かれた回転子鉄心を回転させて整流子およびブラシを介して電力を取り出す整流子発電装置において、界磁巻線に移相素子および第１スイッチを介して第１および第２の交流電源を選択的に切り替え可能に接続し、整流子に接触するブラシと固定子鉄心とを相互に相対的に、整流子の周方向に回動可能に構成し、ブラシを常時出力端子の接続先および第１スイッチに連動する第２スイッチを介して第１の交流電源に接続したことを特徴とする。
【００３２】
この発明によれば、交流電源周波数にて得られる周波数を出力することができ、ブラシの相対的な回動により出力及び力率を調整することができるので、系統連系が可能であることはもちろん、回転駆動力の変動や出力電圧あるいは出力特性の変動に応じて電圧調整が可能となり、発電機の装置や設備の低減及び使用環境の拡大を図ることができる。また、系統が停電して発電機出力端が短絡状態になった時は、系統からの界磁電流が流れないで発電機励磁入力がない状態となるため、発電機出力が発生しない。この結果、発電機から短絡電流が発生する恐れがなくなり、発電機へのストレスも少ない。したがって第１スイッチを瞬時に切り換える必要もなく、更に、第２の交流電源を界磁電源として直ちに発電が可能となる。
【００３３】
次の発明にかかる整流子発電装置は、第２の交流電源または常時出力端子の接続先の少なくとも一方はＵＰＳであることを特徴とする。
【００３４】
この発明によれば、界磁電源を第２の交流電源としてＵＰＳを用いることにより安定した発電が行われ、また安定した界磁電源を用いることにより発電装置をＵＰＳ供給電源として有用なものとすることができる。
【００３５】
次の発明にかかる整流子発電装置は、周方向の回動可能な範囲は、電気角にて略０度から略９０度の範囲としたことを特徴とする。
【００３６】
この発明によれば、ブラシあるいは整流子の周方向移動に伴う電気角９０度の回動にて、最小から最大までの出力変動を容易に得ることができる。
【００３７】
次の発明にかかる整流子発電装置は、界磁巻線が巻かれて励磁される固定子鉄心に対し回転子巻線が巻かれた回転子鉄心を回転させて整流子およびブラシを介して電力を取り出す整流子発電装置において、界磁巻線に移相素子および第１スイッチを介して第１および第２の交流電源を選択的に切り替え可能に接続し、整流子を形成する各整流子片を軸方向にスキューを持たせて筒状に配列し、ブラシを整流子に接触させつつ回転子に対して相対的に軸方向に沿い移動可能に構成し、ブラシを常時出力端子の接続先および第１スイッチに連動する第２スイッチを介して第１の交流電源に接続したことを特徴とする。
【００３８】
この発明によれば、交流電源周波数にて得られる周波数を出力することができ、ブラシの相対的な軸方向移動により出力及び力率を調整することができるので、系統連系が可能であることはもちろん、回転駆動力の変動や出力電圧あるいは出力特性の変動に応じて電圧調整が可能となり、発電機の装置や設備の低減及び使用環境の拡大を図ることができる。また、系統が停電して発電機出力端が短絡状態になった時は、系統からの界磁電流が流れないで発電機励磁入力がない状態となるため、発電機出力が発生しない。この結果、発電機から短絡電流が発生する恐れがなくなり、発電機へのストレスも少ない。したがって第１スイッチを瞬時に切り換える必要もなく、更に、第２の交流電源を界磁電源として直ちに発電が可能となる。
【００３９】
請求項１１に該当する独立の発明に従属する発明についても、請求項３あるいは請求項８に該当する独立の発明に従属する発明と同様の発明を伴い、作用効果も同じ作用効果を得ることができる。
【００４０】
次の発明にかかる整流子発電装置は、界磁巻線が巻かれて励磁される固定子鉄心に対し回転子巻線が巻かれた回転子鉄心を正転および逆転させて整流子およびブラシを介して電力を取り出す整流子発電装置において、界磁巻線に移相素子を介して交流電源を接続し、整流子に接触するブラシと固定子鉄心とを相互に相対的に、整流子の周方向に回動可能に構成し、周方向の回動可能な範囲は電気角にて略０度を中心として略±９０度の範囲としたことを特徴とする。
【００４１】
この発明によれば、交流電源周波数にて得られる周波数を出力することができ、ブラシの相対的な回動により出力及び力率を調整することができるので、系統連系が可能であることはもちろん、回転駆動力の変動や出力電圧あるいは出力特性の変動に応じて電圧調整が可能となり、発電機の装置や設備の低減及び使用環境の拡大を図ることができる。また回転駆動力が逆転してもブラシの回動にて容易に対応することができる。また、系統が停電して発電機出力端が短絡状態になった時は、系統からの界磁電流が流れないで発電機励磁入力がない状態となるため、発電機出力が発生しない。この結果、発電機から短絡電流が発生する恐れがなくなり、発電機へのストレスも少ない。
【００４２】
次の発明にかかる整流子発電装置は、界磁巻線が巻かれて励磁される固定子鉄心に対し回転子巻線が巻かれた回転子鉄心を正転および逆転させて整流子およびブラシを介して電力を取り出す整流子発電装置において、界磁巻線に移相素子を介して交流電源を接続し、整流子を形成する各整流子片を軸方向にスキューを持たせて筒状に配列し、ブラシを整流子に接触させつつ回転子に対して相対的に軸方向に沿い移動可能に構成し、軸方向の移動可能な範囲は電気角にて略０度を中心として略±９０度の範囲としたことを特徴とする。
【００４３】
この発明によれば、交流電源周波数にて得られる周波数を出力することができ、スキューを持たせた整流子とブラシとの軸方向移動に伴うブラシの相対的な回動により出力及び力率を調整することができるので、系統連系が可能であることはもちろん、回転駆動力の変動や出力電圧あるいは出力特性の変動に応じて電圧調整が可能となり、発電機の装置や設備の低減及び使用環境の拡大を図ることができる。また回転駆動力が逆転してもブラシの回動にて容易に対応することができる。また、系統が停電して発電機出力端が短絡状態になった時は、系統からの界磁電流が流れないで発電機励磁入力がない状態となるため、発電機出力が発生しない。この結果、発電機から短絡電流が発生する恐れがなくなり、発電機へのストレスも少ない。
【発明の効果】
【００４４】
本発明によれば、界磁巻線が巻かれて励磁される固定子鉄心に対し回転子巻線が巻かれた回転子鉄心を回転させて整流子およびブラシを介して電力を取り出す整流子発電装置において、界磁巻線に移相素子を介して交流電源を接続し、整流子に接触するブラシと固定子鉄心とを相互に相対的に、整流子の周方向に回動可能に構成し、周方向の回動可能な範囲は予め設定した電気角基準位置に対して所望の電気角の範囲としたことにより、交流電源周波数にて得られる周波数を出力することができ、ブラシの所望角の相対的な回動により出力及び力率を調整することができるので、系統連系が可能であることはもちろん、回転駆動力の変動や出力電圧あるいは出力特性の変動に応じて電圧調整が可能となり、発電機の装置や設備の低減及び使用環境の拡大を図ることができる。また、系統が停電して発電機出力端が短絡状態になった時は、系統からの界磁電流が流れないで発電機励磁入力がない状態となるため、発電機出力が発生しない。この結果、発電機から短絡電流が発生する恐れがなくなり、発電機へのストレスも少ない。
【００４５】
次の発明によれば、界磁巻線が巻かれて励磁される固定子鉄心に対し回転子巻線が巻かれた回転子鉄心を回転させて整流子およびブラシを介して電力を取り出す整流子発電装置において、界磁巻線に移相素子を介して交流電源を接続し、整流子に接触するブラシと固定子鉄心とを相互に相対的に、整流子の周方向に回動可能に構成し、周方向の回動可能な範囲は電気角にて略０度から略９０度の範囲としたことにより、交流電源周波数にて得られる周波数を出力することができ、ブラシの０度〜９０度間の相対的な回動により出力及び力率を調整することができるので、系統連系が可能であることはもちろん、回転駆動力の変動や出力電圧あるいは出力特性の変動に応じて電圧調整が可能となり、発電機の装置や設備の低減及び使用環境の拡大を図ることができる。また、系統が停電して発電機出力端が短絡状態になった時は、系統からの界磁電流が流れないで発電機励磁入力がない状態となるため、発電機出力が発生しない。この結果、発電機から短絡電流が発生する恐れがなくなり、発電機へのストレスも少ない。
【００４６】
次の発明によれば、界磁巻線が巻かれて励磁される固定子鉄心に対し回転子巻線が巻かれた回転子鉄心を回転させて整流子およびブラシを介して電力を取り出す整流子発電装置において、界磁巻線に移相素子を介して交流電源を接続し、整流子を形成する各整流子片を軸方向にスキューを持たせて筒状に配列し、ブラシを整流子に接触させつつ回転子に対して相対的に軸方向に沿い移動可能に構成したことにより、交流電源周波数にて得られる周波数を出力することができ、スキューを持たせた整流子とブラシとの軸方向移動に伴うブラシの相対的な回動により出力及び力率を調整することができるので、系統連系が可能であることはもちろん、回転駆動力の変動や出力電圧あるいは出力特性の変動に応じて電圧調整が可能となり、発電機の装置や設備の低減及び使用環境の拡大を図ることができる。また、系統が停電して発電機出力端が短絡状態になった時は、系統からの界磁電流が流れないで発電機励磁入力がない状態となるため、発電機出力が発生しない。この結果、発電機から短絡電流が発生する恐れがなくなり、発電機へのストレスも少ない。
【００４７】
次の発明によれば、各整流子片のスキューの角度は、ブラシと整流子の相対的な軸方向移動範囲内にてブラシまたは整流子のいずれかを移動させたとき、このブラシと接触し得る整流子片の本数が、その整流子片につながる回転子巻線の電気角にて９０度以上の差に当たる本数になるような角度であることにより、ブラシや整流子の軸方向移動範囲内にて回転子巻線の９０度以上の電気角の差を設けることにより、例えば直線状整流子片として考えた場合に整流子の周りに０度から９０度以上までブラシが回動することと等価の特性が得られ、所望の出力電圧調整や位相調整が可能となる。
【００４８】
次の発明によれば、各整流子片によって形成される整流子のスキューは、整流子の軸方向一端より他端に向って整流子の周方向時計回りに捻り、ついで周方向反時計回りに捻る形状にしたことにより、整流子のスキューの形状にてブラシや整流子の一方向移動のみにより例えば基準位置から９０度ブラシ回動位置に達しその後基準位置への移動が可能となり、例えば風力発電では無風から強風までの風圧に応じてブラシ移動位置を決定することができ、ブラシ制御が簡単となる。
【００４９】
次の発明によれば、ブラシと整流子とは、各整流子片を筒状に配列した整流子の軸方向移動範囲内を軸方向に沿い相対的に移動可能に構成したことにより、ブラシあるいは整流子を軸方向移動範囲内にて軸方向移動可能にさせて出力電圧や位相を調整させたものである。
【００５０】
次の発明によれば、軸方向の移動可能範囲は電気角にて略０度から略９０度の範囲としたことにより、ブラシあるいは整流子の軸方向移動に伴う電気角９０度の回動にて、最小から最大までの出力変動を容易に得ることができる。
【００５１】
次の発明によれば、界磁巻線が巻かれて励磁される固定子鉄心に対し回転子巻線が巻かれた回転子鉄心を回転させて整流子およびブラシを介して電力を取り出す整流子発電装置において、界磁巻線に移相素子および第１スイッチを介して第１および第２の交流電源を選択的に切り替え可能に接続し、整流子に接触するブラシと固定子鉄心とを相互に相対的に、整流子の周方向に回動可能に構成し、ブラシを常時出力端子の接続先および第１スイッチに連動する第２スイッチを介して第１の交流電源に接続したことにより、交流電源周波数にて得られる周波数を出力することができ、ブラシの相対的な回動により出力及び力率を調整することができるので、系統連系が可能であることはもちろん、回転駆動力の変動や出力電圧あるいは出力特性の変動に応じて電圧調整が可能となり、発電機の装置や設備の低減及び使用環境の拡大を図ることができる。また、系統が停電して発電機出力端が短絡状態になった時は、系統からの界磁電流が流れないで発電機励磁入力がない状態となるため、発電機出力が発生しない。この結果、発電機から短絡電流が発生する恐れがなくなり、発電機へのストレスも少ない。したがって第１スイッチを瞬時に切り換える必要もなく、更に、第２の交流電源を界磁電源として直ちに発電が可能となる。
【００５２】
次の発明によれば、第２の交流電源または常時出力端子の接続先の少なくとも一方はＵＰＳであることにより、界磁電源を第２の交流電源としてＵＰＳを用いることにより安定した発電が行われ、また安定した界磁電源を用いることにより発電装置をＵＰＳ供給電源として有用なものとすることができる。
【００５３】
次の発明によれば、周方向の回動可能な範囲は、電気角にて略０度から略９０度の範囲としたことにより、ブラシあるいは整流子の軸方向移動が出力が最も変動する電気角の回動にて容易に対応させることができる。
【００５４】
次の発明によれば、界磁巻線が巻かれて励磁される固定子鉄心に対し回転子巻線が巻かれた回転子鉄心を回転させて整流子およびブラシを介して電力を取り出す整流子発電装置において、界磁巻線に移相素子および第１スイッチを介して第１および第２の交流電源を選択的に切り替え可能に接続し、整流子を形成する各整流子片を軸方向にスキューを持たせて筒状に配列し、ブラシを整流子に接触させつつ回転子に対して相対的に軸方向に沿い移動可能に構成し、ブラシを常時出力端子の接続先および第１スイッチに連動する第２スイッチを介して第１の交流電源に接続したことにより、交流電源周波数にて得られる周波数を出力することができ、ブラシの相対的な軸方向移動により出力及び力率を調整することができるので、系統連系が可能であることはもちろん、回転駆動力の変動や出力電圧あるいは出力特性の変動に応じて電圧調整が可能となり、発電機の装置や設備の低減及び使用環境の拡大を図ることができる。また、系統が停電して発電機出力端が短絡状態になった時は、系統からの界磁電流が流れないで発電機励磁入力がない状態となるため、発電機出力が発生しない。この結果、発電機から短絡電流が発生する恐れがなくなり、発電機へのストレスも少ない。したがって第１スイッチを瞬時に切り換える必要もなく、更に、第２の交流電源を界磁電源として直ちに発電が可能となる。
【００５５】
次の発明によれば、界磁巻線が巻かれて励磁される固定子鉄心に対し回転子巻線が巻かれた回転子鉄心を正転および逆転させて整流子およびブラシを介して電力を取り出す整流子発電装置において、界磁巻線に移相素子を介して交流電源を接続し、整流子に接触するブラシと固定子鉄心とを相互に相対的に、整流子の周方向に回動可能に構成し、周方向の回動可能な範囲は電気角にて略０度を中心として略±９０度の範囲としたことにより、交流電源周波数にて得られる周波数を出力することができ、ブラシの相対的な回動により出力及び力率を調整することができるので、系統連系が可能であることはもちろん、回転駆動力の変動や出力電圧あるいは出力特性の変動に応じて電圧調整が可能となり、発電機の装置や設備の低減及び使用環境の拡大を図ることができる。また回転駆動力が逆転してもブラシの回動にて容易に対応することができる。また、系統が停電して発電機出力端が短絡状態になった時は、系統からの界磁電流が流れないで発電機励磁入力がない状態となるため、発電機出力が発生しない。この結果、発電機から短絡電流が発生する恐れがなくなり、発電機へのストレスも少ない。
【００５６】
次の発明によれば、界磁巻線が巻かれて励磁される固定子鉄心に対し回転子巻線が巻かれた回転子鉄心を正転および逆転させて整流子およびブラシを介して電力を取り出す整流子発電装置において、界磁巻線に移相素子を介して交流電源を接続し、整流子を形成する各整流子片を軸方向にスキューを持たせて筒状に配列し、ブラシを整流子に接触させつつ回転子に対して相対的に軸方向に沿い移動可能に構成し、軸方向の移動可能な範囲は電気角にて略０度を中心として略±９０度の範囲としたことにより、交流電源周波数にて得られる周波数を出力することができ、スキューを持たせた整流子とブラシとの軸方向移動に伴うブラシの相対的な回動により出力及び力率を調整することができるので、系統連系が可能であることはもちろん、回転駆動力の変動や出力電圧あるいは出力特性の変動に応じて電圧調整が可能となり、発電機の装置や設備の低減及び使用環境の拡大を図ることができる。また回転駆動力が逆転してもブラシの回動にて容易に対応することができる。また、系統が停電して発電機出力端が短絡状態になった時は、系統からの界磁電流が流れないで発電機励磁入力がない状態となるため、発電機出力が発生しない。この結果、発電機から短絡電流が発生する恐れがなくなり、発電機へのストレスも少ない。
【発明を実施するための最良の形態】
【００５７】
以下、本発明の整流子発電装置にかかる好適な実施の形態について添付の図面を参照して詳細に説明する。
【００５８】
実施の形態１
実施の形態１の整流子発電装置は、整流子の軸方向に整流子片を並べて筒状に配置し、かつ、該整流子の周方向に２つのブラシを対向させて回動可能に配置した構成であり、この整流子の周方向にブラシを回動させて回転による誘導起電力および変圧器作用による誘導起電力を得るものである。以下、実施の形態１の整流子発電装置について、（１）実施の形態１の整流子発電装置の構成、（２）ブラシの回動動作と誘導起電力との関係、（３）特定の回転子鉄心および整流子を用いた具体例、（４）実施の形態１の効果、の順に、添付の図面を参照して詳細に説明する。
【００５９】
（１）実施の形態１の整流子発電装置の構成
図１は、実施の形態１にかかる整流子発電装置の簡略構成図を示している。実施の形態１の整流子発電装置は、界磁巻線１が巻かれた固定子鉄心２を有する固定子３と、回転子巻線４が巻かれた回転子鉄心５を有する回転子６と、回転子６の回転子巻線４と結線された整流子片７１を有し、回転子６と一体に配設された整流子７と、整流子７の周方向に回動可能に配設された１対のブラシ８と、界磁巻線１に励磁電流を供給するための商用交流電源（図示省略：本発明の第１の交流電源）やＵＰＳ等交流電源（本発明の第２の交流電源）１２と、商用交流電源（図示省略）またはＵＰＳ等の交流電源１２からの励磁電流を選択的に界磁巻線１に供給するための切換スイッチ（本発明の第１スイッチ）１０と、切換スイッチ１０と連動して切り換わる連動スイッチ（本発明の第２スイッチ）１１と、界磁巻線１と切換スイッチ１０の間に配置された移相素子としてのコンデンサ１３と、連動スイッチ１１とブラシ８との間に配置され、ブラシ８の回転位置が後述する０度となった場合に開くスイッチ１４と、から構成されている。
【００６０】
なお、実施の形態１の整流子発電装置は、全体としては、所謂、交流整流子機の構造と略同様であるが、回転子６（ひいては整流子７）が停止中であろうと回転中であろうと、１対のブラシ８が相互の位置関係を保ったままで整流子７の周方向（以下、単に周方向と記載することがある）に回動できるように構成されている点に特長がある。
【００６１】
また、コンデンサ１３は、商用交流電源または交流電源１２の電源電圧に対して９０度遅れる場合の界磁磁束をこの電源電圧と同相にする役割を果たし、換言すれば、整流子発電装置の出力電圧位相を商用交流電源または交流電源１２の電圧位相と同じにする役割を果たしている。
【００６２】
また、回転子６は風車やエンジン等の原動機に連結されており、原動機に連結された回転子６の回転子巻線４は整流子７を介してブラシ８に接続されており、この一対のブラシ８間は交流出力端となっている。したがって、界磁磁束および原動機の回転駆動力によって回転子巻線４に生じた起電力が出力電圧となって現れる。
【００６３】
また、ブラシ８は、ＵＰＳである常時出力端子（図示省略）に接続されると共に、スイッチ１４および連動スイッチ１１の切り換えによって商用交流電源にも接続される。この場合、切換スイッチ１０と連動スイッチ１１とは連動して切り替わり、切換スイッチ１０が商用交流電源に接続された状態では、連動スイッチ１１がオンしてブラシ８が商用交流電源に接続される。これにより界磁巻線１と回転子巻線４とは分巻を形成する。なお、切換スイッチ１０がＵＰＳ等の交流電源１２に接続された場合には、連動スイッチ１１はオフとなる。
【００６４】
スイッチ１４が閉じた状態で、切換スイッチ１０が商用交流電源側に接続され、連動スイッチ１１がオンしているとき、交流整流子機の特性上、回転子巻線４には界磁巻線１に生じる商用交流電源による磁束変化によって変圧器作用による起電力が発生すると共に、原動機の回転駆動力に基づく回転子６の回転に応じた回転による起電力が発生する。したがって、交流出力端であるブラシ８間には、これらの起電力が現れる。この場合、ブラシ８間の交流出力周波数は、界磁巻線１の界磁磁束の変化に起因しており、商用交流電源と同一の周波数が現れる。このとき、コンデンサ１３によって界磁電流を進めて商用交流電源電圧と同相にしているので、ブラシ８間に現れる出力電圧位相は商用交流電源電圧の位相と同相となる。換言すれば、商用交流電源および常時出力端子には、ブラシ８間に生ずる商用交流電源に同期した出力電圧が加わることになる。
【００６５】
一方、切換スイッチ１０が、ＵＰＳ等交流電源１２側に接続されている場合、連動スイッチ１１はオフしてブラシ８と商用交流電源とを切り離す。この状態では、ＵＰＳ等交流電源１２にて界磁巻線１に界磁磁束が作られ、この界磁磁束の変化および回転駆動力による回転子６の回転によってブラシ８間に誘導起電力が現れる。この場合も、ブラシ間８にはＵＰＳ等交流電源１２と同じ出力周波数が現れ、コンデンサ１３によってブラシ８間に現れる出力電圧位相はＵＰＳ等交流電源１２の電圧位相と同相になる。ここでは、連動スイッチ１１がオフしているので、常時出力端子のみに対してブラシ８間に生ずるＵＰＳ等交流電源１２に同期した出力電圧が加わることになる。
【００６６】
（２）ブラシの回動動作と誘導起電力との関係
次に、ブラシ８を整流子７に接触させた状態で整流子７の周方向に回動させる回動動作とブラシの位置によって取り出せる誘導起電力との関係について説明する。
図２は、軸方向に沿って並べられた整流子片７１を筒状に配置した整流子７と、該整流子７に接触しつつ整流子７の周方向に沿い回動しているブラシ８の状態を示している。なお、図２（ａ）はブラシ軸９０度位置の状態を示し、図２（ｂ）はブラシ軸０度位置の状態を示している。
図３は、図２に示したブラシ軸の位置の違いに対応してブラシ８から取り出される誘導起電力の違いを示している。ここでは、界磁巻線１が巻かれた固定子鉄心２には界磁磁束Φが通り、回転子６がｎ方向に回転している場合を示している。また、図３（ａ）では界磁電流と同相の回転による誘導起電力の発生状態を例示し、図３（ｂ）では界磁電圧と同相の変圧器作用による誘導起電力の発生状態を例示している。
【００６７】
まず、図２（ａ）および図３（ａ）を参照して、ブラシ軸９０度位置の状態で、ブラシ８から取り出される誘導起電力について説明する。図示の如く、右方向への界磁磁束Φに対してｎ方向（図中の時計方向）の回転によって、回転子６の右半分の回転子巻線４には図面手前側に向かう誘導起電力が生じ、回転子６の左半分の回転子巻線４には図面裏側に向かう誘導起電力が生ずる。したがって、図３（ａ）ではブラシ８をａａ’位置に置くとき、ブラシ８間には各コイル辺４１の回転による誘導起電力が重畳して電圧が発生し、ｂｂ’位置に置くとき各コイル辺４１の回転による誘導起電力は相殺してブラシ８間には電圧が発生しないことになる。
【００６８】
次に、図２（ｂ）および図３（ｂ）を参照して、ブラシ軸０度位置の状態で、ブラシ８から取り出される誘導起電力について説明する。図示の如く、界磁巻線１に流れる界磁電流によって生ずる回転子巻線４への変圧器作用による誘導起電力としては、界磁電圧と同相で、回転子６の下半分の回転子巻線４には図面手前側に向かう誘導起電力が生じ、回転子６の上半分の回転子巻線４には図面裏側に向かう誘導起電力が生ずる。したがって、図３（ｂ）ではブラシ８をｂｂ’位置に置くとき、ブラシ８間には各コイル辺４１の変圧器作用による誘導起電力が重畳して電圧が発生し、ａａ’位置に置くとき各コイル辺４１の起電力は相殺してブラシ８間には電圧が発生しないことになる。
【００６９】
前述したようにブラシ８の位置によって回転による誘導起電力および変圧器作用による誘導起電力それぞれがブラシ８間に生じ、ブラシ軸が主磁束軸と直角の状態（図３（ａ）のａａ’位置；９０度位置と称する）では回転による誘導起電力のみがブラシ８間に現れ、ブラシ軸が主磁束軸と並行の状態（図３（ｂ）のｂｂ’位置；０度位置と称する）では変圧器作用による誘導起電力のみがブラシ８間に現れる。
【００７０】
さらに、ブラシ８の９０度位置と０度位置との間のブラシ位置では、９０度に近づくに従って回転による誘導起電力が大きくなると共に誘導起電力が界磁電流と同位相になり、逆に０度に近づくに従い変圧器作用による誘導起電力が大きくなると共にこの誘導起電力が界磁電圧に対して同位相になる。
【００７１】
この９０度と０度との間のブラシ位置にあっては、磁束軸を基準にしてブラシ軸のなす角度をαとしたとき、回転による誘導起電力の大きさは等価的にΦｓｉｎαの関数となり、変圧器作用による誘導起電力の大きさは等価的にΦｃｏｓαの関数となると考えられる。したがって、例えば、ブラシ位置が９０度から０度（αがπ／２から０）に移行するときには、回転による誘導起電力はｓｉｎ波形カーブに沿って最大値から最小値（０）に移行し、変圧器作用による誘導起電力はｃｏｓ波形カーブに沿って最小値（０）から最大値に移行するような特性となる。
【００７２】
（３）特定の回転子鉄心および整流子を用いた具体例
次に、図４を参照して、２層巻きで４本の回転子巻線４のコイル辺４１を備えた回転子鉄心５と、回転子巻線４に対応して４本の整流子片７１が配置されている整流子７とを用いた場合を具体例として、ブラシ８の０度位置と９０度位置について説明する。
図４では、固定子鉄心２の左側と右側の界磁極をＮ，Ｓとする。また、回転子鉄心５のスロット内には２層巻きで４本の回転子巻線４のコイル辺４１が備えられ、このコイル辺４１から整流子側にはこの整流子片７１とつながる巻線端４２が引き出され、コイル辺４１の整流子７と反対側は別のコイル辺（図４では隣り合うコイル辺）４１のコイル接続部Ｂとなっている。また、回転子巻線４に対応して４本の整流子片７１が配置されている。なお、簡略図示のため整流子７と反対側のコイル接続Ｂのみ表示し、整流子側のコイル接続は省略する。
【００７３】
また、ここでは、時計方向（ｎ方向）に回転駆動力が生じて回転子６を回転させている状態を示し、図４（ａ）においては、界磁の磁束（ＮからＳ）方向に当たる磁束軸に対して対応するブラシ８のブラシ軸が９０度位置すなわち直角位置にある状態を示している。
【００７４】
なお、図３（ａ）ではａａ’にて磁束軸とブラシ軸が９０度位置にあるのに対し、図４（ａ）では磁束軸とブラシ軸ａａ’とが図面上０度位置（同一方向）となっている。ただし、実際の構造上においては、図４（ａ）に示すブラシ軸ａａ’の状態は、図３（ａ）の９０度位置と等価である。多数の型巻コイルを有し、型巻コイルを構成する二個のコイル辺が他の型巻コイルのコイル辺を複数飛び越して配置され、しかも型巻コイルの中央に巻線端が位置する巻線構造（通常知られている巻線構造）では、図３（ａ）の構造となるが、図４では周方向に９０度ずつ離して４本の回転子巻線４のコイル辺４１を設け、かつ、燐接するコイル辺４１同士を接続し、しかもこの各コイル辺４１と整流子片７１とを同一位置に対応付けて説明したためである。
【００７５】
このことは、図３（ｂ）でのｂｂ’の０度位置と図４（ｂ）でのブラシ軸ｂｂ’が図面上９０度位置になっている関係についても同様であり、実際上、図４（ｂ）のブラシ軸ｂｂ’は０度位置と等価となっている。このため以下、図４の説明については、図４（ａ）の状態を９０度位置、図４（ｂ）の状態を０度位置とする。
【００７６】
さらに、図４には、磁束の向き、ブラシ位置、回転子の回転方向および各コイル辺４１に発生する回転による誘導起電力の向きが示されている。
図４（ａ）でのブラシ位置ａａ’が９０度位置では、Ｎ，Ｓの磁極の直近の左右に図示の回転子巻線４が磁束を切り、その回転による誘導起電力がブラシ８間に現れる。一方、図４（ｂ）のブラシ位置ｂｂ’が０度位置では、Ｎ，Ｓの磁極の直近の左右に図示の回転子巻線４が磁束を切るのであるが、ブラシ８と接触する整流子片７１につながる図示上下の回転子巻線４ではこの回転による誘導起電力が相殺する方向に加わる。このため、ブラシ８間には回転による誘導起電力は生じない。
【００７７】
また、図４は回転による誘導起電力に着目した場合を示しているが、界磁電圧に対して同位相の変圧器作用による誘導起電力に着目した場合、図４（ａ）での９０度位置では磁束変化を妨げる誘導起電力が図示上下の回転子巻線４に発生してもブラシ８と接触する図示左右の回転子巻線４にて相殺されてブラシ８には変圧器作用による誘導起電力は現れず、図４（ｂ）での０度位置では逆に図示上下の回転子巻線４につながるブラシ８にて変圧器作用による誘導起電力が現れることとなる。
【００７８】
さらに、界磁巻線１による主磁束に対して、回転子巻線４の回転または変圧器作用による誘導起電力で生ずる電流に基因する磁束の向き、すなわち０度位置のブラシ位置と９０度位置のブラシ位置を、簡略図示すれば、図５（ａ）、（ｂ）の左図のようになる。
【００７９】
図５（ａ）に示すように、０度位置では、変圧器の１次と２次との関係と等価となり、回転子６の静止または回転にかかわらず回転子巻線数にて決まる変圧器作用による誘導起電力のみが発生する。一方、図５（ｂ）の左図では、９０度位置にて界磁磁束を切ることによる回転子６の回転数に比例した大きさの回転による誘導起電力が発生する。また、ブラシ８の回動位置によって発生する起電力の位相は、界磁電圧と同相の値から界磁電流と同相の回転スピードに関係する値まで変化することになる。
【００８０】
したがって、界磁巻線１に界磁電流を通電すると界磁電流と同一周波数の誘導電圧が交流出力端であるブラシ８間に現れる。さらに、図２（ａ）、（ｂ）でのブラシ位置の移動位置状態が、回転子巻線４の電気角にして０度〜９０度である場合、図２（ａ）に示すブラシ位置では、図３（ａ）、図４（ａ）、図５（ｂ）と等価のブラシ軸と磁束軸とが９０度位置となって、界磁電流と同一位相で回転駆動力の回転数に応じた大きさの回転による誘導起電力のみを発生する。また、図２（ｂ）に示すブラシ位置では、図３（ｂ）、図４（ｂ）、図５（ａ）と等価のブラシ軸と磁束軸とが０度位置となって、界磁電圧に対して同位相で回転駆動力の回転数にかかわらず回転子巻線数に応じた大きさの変圧器作用による誘導起電力のみを発生する。換言すれば、例えば、９０度から０度のブラシ位置になるに従いブラシ８間の起電力は回転数に依存する大きさから回転子巻線数に応じた値に落ち着くことになる。
【００８１】
見方を変えれば、回転駆動力が変動する際に、回転駆動力による回転子の回転が低速の場合にはブラシ位置を９０度に近付け、高速回転の場合にはブラシ位置を０度に近付けることにより、一定の出力電圧を得ることができることを示している。図５（ｂ）にて、左図はブラシ位置９０度を示し、右図はブラシ位置３０度を示すとすると、仮にブラシ位置６０度にて定格電圧を得る場合、低速回転になったときは９０度に向かってブラシ８を回動し、高速回転になったときは３０度に向かってブラシ８を回動するようにすれば、一定の出力電圧を得ることができる。なお、ブラシ位置０度の場合、変圧器としての運転になり発電機としては効率が悪いので０度のときのみ回路を切り離すようスイッチ１４を開くようにすればよい。
【００８２】
図５（ｃ）は、位相調整用に設けたコンデンサ１３を追加して図示したものであり、界磁磁束を商用交流電源の電圧位相に合致させ、発電機出力電圧と商用交流電源との位相を合致させるための構造を示している。
【００８３】
（実回路に基づく系統電圧(界磁電圧)、系統電流、界磁電流、発電電流(回転子電流)の波形）
図６においては、界磁巻線１と回転子巻線４とが商用交流電源に対して並列接続された分巻発電機の等価回路を示している。この場合、この等価回路では系統電圧に対する界磁巻線１の界磁電流の遅れを補償するためにコンデンサ１３を挿入している。なおコンデンサ１３の容量は界磁巻線１のインダクタンスに対して直列共振する値をとることによって、コンデンサの容量を小さくし巻線数を少なくしてもコンデンサ１３に高電圧が現れかつコンデンサ１３により９０度の進み電流が現われ、低い電源電圧に対しても大きな界磁電流が得られるようにするのが好ましい。
【００８４】
この分巻発電機にあっても、発電によってブラシ８間には、界磁電流と同一周波数の誘起起電力が生じ、ブラシ軸と磁束軸とが９０度位置では界磁電流と同一位相の回転による誘導起電力を生じ、ブラシ軸と磁束軸とが０度位置では界磁電圧に対して同位相の変圧器作用による誘導起電力を生ずる。
【００８５】
そして、この分巻回路では、発電機端子電圧と界磁回路端子電圧とが同電位でありかつ発電電流が系統以外にも界磁回路に流れ込むことになる。この分巻回路の特性を得るため、図６中測定点Ｃ１、Ｃ２、Ｃ３にて回転子電流、系統出力電流および界磁電流を測定し、測定点Ｖ１にて系統電圧を測定した。このＣ１、Ｃ２、Ｃ３およびＶ１の符号は図６にあって測定点を示すものであるが、場合によっては電流プローブおよび電圧計をも示し更には電流波形および電圧波形を図示する場合にも兼用する。
【００８６】
図７は、ブラシ位置を０度位置とし発電機の回転子６を回転させないで系統電圧Ｖ１を印加したときの回転子電流Ｃ１と系統電流Ｃ２とを示している。この図７では、界磁巻線１に流れる界磁電流によって回転子巻線４には前述の変圧器作用による誘導起電力が発生している。この図７から判明するように、回転子電流Ｃ１は系統電圧Ｖ１に対して９０度ほど遅れ（実際上界磁電流に対して９０度遅れるが界磁回路はコンデンサ１９を有するので界磁電流は系統電圧とほぼ同相かあるいはこのコンデンサ１９の影響にてわずかに進むようにした）しかも系統電圧Ｖ１とほぼ同相の系統電流Ｃ２が極めてわずかに流れる。この波形から判明するように発電機の回転子電流Ｃ１と系統電流は９０度の位相差があって回転子６には無効電力を供給するので電力消費はなくまた系統電流Ｃ２もきわめて少なく、系統の電力損失はほとんどない。
【００８７】
他方、従来の交流整流子発電機を想定してブラシ位置を９０度位置とし発電機の回転子６を回転させないで系統電圧Ｖ１を印加したときの回転子電流Ｃ１と界磁電流Ｃ３との関係を図８に示す。この図８では、ブラシ位置は９０度位置であるため図５（ｂ）のような磁気回路としては高磁気抵抗状態にあり磁気エネルギ蓄積のため界磁電流Ｃ３が増えて回転子電流Ｃ１の位相が進み波高値が大きくなる。そして、この図８に示すように、系統電圧Ｖ１と回転子電流Ｃ１による電力消費が大きくなり、図９に示す系統電流Ｃ２と系統電圧Ｖ１との波形からも明らかなように電力を消費するだけの回路となり電力損失が極めて大きい。この点から従来例として考えられる図８と等価の交流整流子機における９０度位置固定の発電機に比べ、図７では、回転子６を回転させない状態にてブラシ位置を０度位置にすることによって電力損失が極めて少ないことが判明する。
【００８８】
図７に戻り、ブラシ位置が０度位置の状態で、今度は回転子６を最大回転数まで回転させた場合、図７の波形状態には変化がない。このことは、ブラシ位置が０度位置では回転による誘導起電力が作用せず、回転数にかかわりなく変圧器作用による誘導起電力に基づく特性のままであることを示している。すなわち、回転駆動力が過大となり従来における交流整流子発電機では過大電圧が加わり過大電流が流れるような状態でも、本実施の形態における発電機にてブラシ位置を０度位置状態とすれば過大電圧や過大電流が生ずる恐れがないことを意味する。またこのことは、ある回転駆動力が入力された状態にてこの駆動力に応じたブラシ位置の角度調節によっては発電電圧や電流を定格値に抑えることも可能となる。
【００８９】
図１０は、ブラシ位置を９０度位置とし発電機の回転子６を所定回転させて系統電圧Ｖ１を印加したときの回転子電流Ｃ１と界磁電流Ｃ３とを示している。この図１０に示す状態では、系統電圧Ｖ１に対して回転子電流Ｃ１が逆相の大電流となり発電電流として外部に給電されることを示している。そして、ブラシ位置が０度位置にあたる図７と９０度位置にあたる図１０との比較にて判明するように系統電圧Ｖ１は同一であっても図７にて回転子電流Ｃ１としては系統電圧Ｖ１より９０度遅れの小さな電流値であったものが図１０では逆相の大電流となる。このとき界磁電流Ｃ３もある程度大きな波高値となるが、これは図７に示したブラシ位置０度位置での回転がない場合の界磁電流Ｃ３からも判明するように磁気抵抗が大きくなって界磁電流が大きくなり、回転子電流Ｃ１である発電電流が界磁回路に流れ込むためである。結果として、図１１に示すように系統電圧Ｖ１に対して逆相の系統電流Ｃ２が系統に流れ込み、発電が行われる。
【００９０】
そして、ブラシ位置の回動と回転駆動力による回転子の回転とによって図７の回転子電流Ｃ１の状態から図１０の回転子電流Ｃ１の状態に変化し、ブラシ位置の回動に伴って変化する変圧器作用による誘導起電力に基づく位相の変更が生じると共に回転による波高値の変更が生じる。
【００９１】
なお、負荷電流に大きな進相電流が流れる場合には、コンデンサ１３の変わりにコイルを介在させてもよい。
図１および図５（ｃ）に示したように、商用交流電源やＵＰＳ等交流電源からの電源に対してブラシ８から供給される出力電圧や出力電流の位相差を少なくするためのコンデンサ１３を介在させた上で、回転による起電力あるいは変圧器作用による起電力の位相差を利用してブラシ８の回動を調整することによって、好適な位相調整あるいは力率調整を行うことが可能である。
【００９２】
（４）実施の形態１の効果
前述したように実施の形態１では、ブラシ８の回動に伴い、回転による誘導起電力と変圧器作用による誘導起電力の双方を調整することで、原動機の回転駆動力に変動があっても一定の出力を得ることができる。
また、原動機の回転駆動力が一定であっても出力調整をすることができ、さらに原動機の回転駆動力が過大であっても発電機の故障にはならない。
また、界磁巻線１につながる交流電源と同一周波数の出力を得ることができ、ブラシ８の回動に伴う位相調整・力率調整によって系統連系も容易に行える。このために調整装置等を省いたスリムな発電装置を得ることができる。
また、実施の形態１の整流子発電装置をエンジン発電機に適応した場合でも、周波数は一定であり、出力変動や電圧変動は全てブラシ８の回動にて賄うことができる。
【００９３】
また、実施の形態１によれば、ブラシ８を回動することによって、一定周波数で可変出力・可変位相の発電機を得ることができる。この発電機を、コージェネレーションシステムの補助電源とした場合、切換スイッチ１０を交流商用電源に接続し、かつ連動スイッチ１１をオンさせ、交流商用電源と同じ周波数および位相でブラシ８の回動位置に応じた出力電圧を得て、この出力電圧を商用交流電圧およびＵＰＳ等の常時出力端子に加えることは、一般の系統連系と同様となる。
【００９４】
ところが、コージェネレーションシステムの対象となる地域において系統である商用交流電源側が停電になった場合、発電機出力が短絡状態となるが、系統に接続される界磁巻線１に界磁電流が流れないので、発電機としては励磁入力がないこととなって、結果的に発電機出力は発生しない。このため、停電の場合でも発電機にストレスを与えず、短絡電流による回転子巻線４の焼損や原動機連結軸の破損の虞もなくなり、高速遮断機も必要なくなるという効果を奏する。
【００９５】
したがって、切換スイッチ１０の切り換え操作も従来に比べてゆっくり（瞬時ではない）でよく、出力電流もないので連動スイッチ１１も小容量のスイッチですむ。なお、停電時あるいは単独にて運転するとき連動スイッチ１１と連動する切換スイッチ１０をＵＰＳ等の交流電源に接続して界磁電流を流すことで、連動スイッチ１１がオフしても常時出力端子には交流出力が得られ、引き続き発電が可能になる。
【００９６】
実施の形態１では、整流子７の周方向にブラシ８を回動させた構造を説明したが、整流子７とブラシ８との位置は相対的な関係であるので、ブラシ８を固定状態に置き整流子７や回転子６を回動させてもよいのは勿論である。
【００９７】
実施の形態２
実施の形態２の整流子発電装置は、図１２に示すように、整流子片７１を軸方向に斜めに配列した整流子７を用いて、さらにブラシ８を軸方向に往復動させる構成としたものである。この構成によっても上述の回転による誘導起電力および変圧器作用による誘導起電力を得ることができる。なお、その他の構成は、図１で示した実施の形態１と同様であるため、ここでは異なる部分のみを詳細に説明する。
【００９８】
図１２（ａ）、（ｂ）に示すように、実施の形態２の整流子片７１は、整流子片７１を筒状に配列した状態で軸方向にスキューを持たせた形状に形成されている。この整流子片７１に対して、所望の接触抵抗値を有して接触する一対のブラシ８が配置されている。さらに、ブラシ８は整流子７に接触しつつ整流子７の軸方向に沿って移動可能に構成されている。
【００９９】
整流子片７１にスキューを持たせた整流子７を形成した場合、スキューの程度（スキュー角度）としては、ブラシ８を軸方向に沿って整流子７上を移動させたとき、数本の隣接する整流子片７１にブラシ８が乗り移るようにスキュー角度を持たせている。
【０１００】
図１３は、このスキュー角度の状態を例示するものであり、整流子７の筒状に配列された４本の整流子片７１の表面図、裏面図および展開図である。図１３（ａ）においては、表面から見て斜め右上がりのスキューが付されており、Ａ，Ｂ，Ｃ，Ｄの４本の整流子片７１が図示され、図１３（ｂ）の矢印にて示すように、整流子7の左端から右端までのブラシの軸方向移動によってＤ、Ａ、Ｂ３本の整流子片７１にブラシ８が順に乗り移ることができるように構成されている。
【０１０１】
図１４は、Ｎ，Ｓ２極の界磁極と１６個の型巻コイルからなる回転子巻線４とスキューを持たせた整流子片７１との接続状態を示す展開図である。ここでは、界磁極数、コイル数およびスキュー角度は一例であり、これに限定されるものではない。図１４において、１極の界磁極に対して約８本のコイル辺４１（1スロット２層巻を含めると１６本）が対応して配置され、この８本（２層巻で１６本）のコイル辺４１を有する回転子巻線４は８本の整流子片７１と接続している。スキュー角度としてはブラシ８の軸方向移動によって４本の整流子片７１に乗り移り接触するようになっている。
【０１０２】
そして、このブラシ８による４本の整流子片７１上での乗り移りは、２極の界磁極間を型巻コイルが1回転したとき1サイクルの周期の電圧が励起される現象を勘案し、更にそして1回転分の位置変異が１６本のコイル辺４１（ひいては１６本分の整流子片７１）に対応することを勘案すれば、４本の整流子片７１の移動は電気角にして９０度の変異をもたらすことになる。
【０１０３】
ブラシ８の軸方向移動によって、整流子片７１とこれにつながる回転子巻線４を形成する型巻コイルとの接続が順に移り変わることになり、この移り変わりに対応して相応する電気角が変わることになる。
換言すれば、整流子片７１にスキューを設けた整流子７を用いて、この整流子７上でブラシ８を往復移動させても、実施の形態１のブラシ８の回転と同じ作用効果をもたらすことができる。
【０１０４】
なお、実施の形態１および実施の形態２とも、ブラシ８の回動または移動を電気角にて０度から９０度までとして説明したが、０度からマイナス９０度（反対方向の９０度）とした場合でも、同様に回転による誘導起電力および変圧器作用による誘導起電力が得られることは明らかである。
したがって、他の実施の形態として本発明の整流子発電装置を波力発電に適用すると、波力発電にて回転駆動軸が逆転する場合には、ブラシ８をマイナス方向に回動あるいは移動させることによって従来の正転および逆転切り換え時のスイッチの入り切りを不要とすることができる。
【０１０５】
また、実施の形態２の変形例として、例えば、整流子７のスキューの形状を図１５のようにすれば往または復の片方向移動のみにて例えば０度−９０度−０度のブラシ軸の移動が可能になる。
【０１０６】
上記実施の形態２では、整流子７の軸方向にブラシ８を移動させた構造を説明したが、整流子７とブラシ８との位置は相対的な関係であるので、ブラシ８を固定状態に置き、ブラシ８に対して整流子７あるいは回転子６を軸方向に移動させてもよいのは勿論である。
【図面の簡単な説明】
【０１０７】
【図１】実施の形態１にかかる整流子発電装置の簡略構成図である。
【図２】この発明の実施の形態１の整流子とブラシの位置関係を示す説明図である。
【図３】この発明の誘導起電力の説明図である。
【図４】この発明の実施の形態１の具体的説明図である。
【図５】この発明の状態説明図である。
【図６】この発明の実施の形態１の等価回路図である。
【図７】この発明の実施の形態１のブラシ位置０度の波形図である。
【図８】図７に対応する従来例での運転状態を示す波形図である。
【図９】図８での運転状態での系統波形図である。
【図１０】この発明の実施の形態１のブラシ位置９０度の波形図である。
【図１１】図１０での運転状態での系統波形図である。
【図１２】この発明の実施の形態２の整流子とブラシの位置関係図である。
【図１３】この発明の実施の形態２のスキューを示す表面図、裏面図および展開図である。
【図１４】この発明の実施の形態２の整流子と回転子巻線と界磁極との接続関係を示す展開図である。
【図１５】この発明の機械的軸方向移動機構の簡略正面図である。
【符号の説明】
【０１０８】
１  界磁巻線
２  固定子鉄心
３  固定子
４  回転子巻線
５  回転子鉄心
６  回転子
７  整流子
８  ブラシ
１０  切換スイッチ
１１  連動スイッチ
１２  交流電源
１４  スイッチ
１３  コンデンサ
【図１】
2005065474.tif 000003
【図２】
2005065474.tif 000004
【図３】
2005065474.tif 000005
【図４】
2005065474.tif 000006
【図５】
2005065474.tif 000007
【図６】
2005065474.tif 000008
【図７】
2005065474.tif 000009
【図８】
2005065474.tif 000010
【図９】
2005065474.tif 000011
【図１０】
2005065474.tif 000012
【図１１】
2005065474.tif 000013
【図１２】
2005065474.tif 000014
【図１３】
2005065474.tif 000015
【図１４】
2005065474.tif 000016
【図１５】
2005065474.tif 000017